(57)【要約】  ミリメートル波のベーシックサービスセット(BSS)で動作するユーザ通信局(STA)及び方法の実施形態が本願で一般的に説明される。一実施形態において、STAは、第1帯域幅の第1チャネルを利用して、第1帯域幅とは異なる第2帯域幅の第2チャネルでデータを通信するための割当の要求を送信する。要求は、第2帯域幅を表す値を有する指向性マルチギガビット(DMG)トラフィック仕様(TSPEC)エレメントを含むことが可能である。STAは、第2帯域幅の割当を拡張スケジュールエレメントで受信する。STAは、割当の受信に応じて、第2帯域幅の第2チャネルでデータを送信する。
2016533135.tif 000002
【特許請求の範囲】
【請求項１】
ミリメートル波のベーシックサービスセット(BSS)で動作するユーザ通信局(STA)により実行される方法であって：
第1帯域幅の第1チャネルを利用して、前記第1帯域幅とは異なる第2帯域幅の第2チャネルでデータを通信するための割当の要求を送信するステップであって、前記要求は、前記第2帯域幅を表す値を有する指向性マルチギガビット(DMG)トラフィック仕様(TSPEC)エレメントを含む、ステップ；
前記第2帯域幅の割当を拡張スケジュールエレメントで受信するステップ；及び
前記割当の受信に応じて、前記第2帯域幅の前記第2チャネルでデータを送信するステップ；
を有する方法。
【請求項２】
前記BSS内のレガシーSTAが、前記第1チャネルでは送信信号を受信可能であるが前記第2チャネルでは可能でないことを確認するステップ；及び
リクエストトゥセンド(RTS)又はDMGクリアトゥセンド(CTS)トゥセルフフレームで第3帯域幅を表す値を送信することにより、前記第1帯域幅とは異なる第3帯域幅の第3チャネルでの別の割当を、共存技術を利用して要求するステップであって、前記共存技術は、要求が前記レガシーSTAによりデコードされることが可能であるように前記第1チャネルで当該要求を送信することを含む、ステップ；
を更に有する請求項1に記載の方法。
【請求項３】
前記第2帯域幅の割当の通知を受信した後に、前記第1チャネルにおいてビーコン送信インターバル(BTI)で制御情報を受信するステップ；
を更に有する請求項1に記載の方法。
【請求項４】
前記割当の後に受信される各々のBTI、アソシエーションビームフォーミングトレーニング(A-BFT)及びアナウンスメント送信インターバル(ATI)が、前記第1チャネルで受信される、請求項3に記載の方法。
【請求項５】
前記BTIは、以後のデータ転送インターバル(DTI)の間の通信に関し、前記STAが、専ら前記第1チャネルを使用すべきこと或いは前記第1チャネルの内のチャネルを使用すべきことについての指示を含む、請求項3に記載の方法。
【請求項６】
近隣のBSSに関連するパーソナルベーシックサービスセット制御ポイント(PCP)又はアクセスポイント(AP)から、前記第1チャネルで追加的な制御情報を受信するステップ；及び
前記追加的な制御情報に基づいて、或る時間期間の間送信することを控えるステップ；
更に有する請求項3に記載の方法。
【請求項７】
前記第1チャネルはIEEE802.11ad標準規格群のうちの規格に従って規定され、前記第2チャネルはIEEE802.11aj又は以後の標準規格群のうちの規格に従って規定され、
前記DMG  TSPECエレメントは、前記第1帯域幅のサイズに対する前記第2帯域幅のサイズを規定する、請求項1に記載の方法。
【請求項８】
前記第2チャネルは前記第1チャネルの上半分又は前記第1チャネルの下半分を含む、請求項7に記載の方法。
【請求項９】
前記第2帯域幅は、前記第1帯域幅の整数倍である、請求項7に記載の方法。
【請求項１０】
前記第2帯域幅は、一意の個別的なチャネル番号により通知される、請求項7に記載の方法。
【請求項１１】
隣接するベーシックサービスセット(BSS)のネットワークのうちのミリメートル波の第1のBSSに関連する第1のパーソナルベーシックサービスセット制御ポイント(PCP)又は第1のアクセスポイント(AP)により実行される、動的な帯域幅管理のための方法であって：
第1のビーコン時間インターバル(BTI)及び第1チャネルにおいて、前記第1のBSSに関する制御情報を送信するステップ；
前記制御情報を送信することに応じて、前記第1チャネルとは異なる第2チャネルでの送信のための割当を要求する指向性マルチギガビット(DMG)トラフィック仕様(TSPEC)エレメントを、前記第1のBSSのうちのユーザ通信局(STA)から受信するステップ；
前記割当の要求を受信したことに応じて、前記割当の要求を許可する拡張スケジュールエレメントを送信するステップ；
前記制御情報の送信から或るクラスタ時間オフセットに実質的に等しい時間期間の後に、第2のBTIにおける複数のBSSのうちの第2のBSSに関する制御情報を、前記第1チャネルで別のPCP又はAPから受信するステップ；及び
前記第2チャネルにおいてデータ転送インターバル(DTI)で前記STAからトラフィックを受信するステップ；
を有する方法。
【請求項１２】
前記第1のBTIは、前記第1のBSSにおけるSTAが、前記第1チャネルのみを又は前記第1チャネル内のチャネルを利用して通信するか否かについての指示を含む、請求項11に記載の方法。
【請求項１３】
前記第2チャネルにおいて、BTI、アソシエーションビームフォーミングトレーニング(A-BFI)又はアナウンスメント送信インターバル(ATI)を送信することを禁止するステップを更に有する請求項11に記載の方法。
【請求項１４】
ベーシックサービスセット(BSS)で動作する無線通信局(STA)であって、前記STAは物理レイヤ(PHY)回路を有し、前記PHY回路は：
第1チャネルを利用して、第1帯域幅とは異なる第2帯域幅の第2チャネルでデータを通信するための割当の要求を送信することであって、前記要求は、前記第2帯域幅を表す値を有する指向性マルチギガビット(DMG)トラフィック仕様(TSPEC)エレメントを含み、前記第1チャネルはIEEE802.11ad標準規格群のうちの規格に従って規定され、前記第2チャネルはIEEE802.11aj又は以後の標準規格群のうちの規格に従って規定され、及び、前記DMG  TSPECエレメントは、前記第1帯域幅のサイズに対する前記第2帯域幅のサイズを規定する、こと；
前記要求に応じて、拡張スケジュールエレメントで割当を受信すること；並びに
前記割当の受信に応じて、前記第2帯域幅を利用して前記第2チャネルでデータを送信すること；
を行う、STA。
【請求項１５】
当該STAは、前記BSS内のレガシーSTAが、前記第1チャネルでは送信信号を受信可能であるが前記第2チャネルでは可能でないことを確認し、及び、前記の確認に応じて、リクエストトゥセンド(RTS)又はDMGクリアトゥセンド(CTS)トゥセルフフレームで第3帯域幅を表す値を送信することにより、前記第1帯域幅とは異なる第3帯域幅の第3チャネルでの別の割当を、共存技術を利用して要求するプロセッサを更に有し、前記共存技術は、要求が前記レガシーSTAによりデコードされることが可能であるように前記第1チャネルで当該要求を送信することを含む、請求項14に記載のSTA。
【請求項１６】
前記PHY回路は、
各々のBTI、アソシエーションビームフォーミングトレーニング(A-BFT)及びアナウンスメント送信インターバル(ATI)を前記第1チャネルで受信することであって、前記BTIは、以後のデータ転送インターバル(DTI)の間の通信に関し、前記STAが、専ら前記第1チャネルを使用すべきか否かについての指示を含む、こと；及び
前記第1チャネルとは異なる第3チャネルで、前記BSSのうちの第2の非レガシーSTAの少なくとも1つのDTIを受信すること；
を行うように更に構成される請求項14に記載のSTA。
【請求項１７】
前記第2帯域幅は前記第1帯域幅の実質的に半分を含む、或いは、
前記第2帯域幅は前記第1帯域幅の整数倍である、請求項14に記載のSTA。
【請求項１８】
1つ以上のアンテナであって、
第1チャネルを利用して、第1帯域幅とは異なる第2帯域幅の第2チャネルでデータを通信するための割当の要求を送信することであって、前記要求は、前記第2帯域幅を表す値を有する指向性マルチギガビット(DMG)トラフィック仕様(TSPEC)エレメントを含む、こと；
前記第2帯域幅での送信を認める割当を拡張スケジュールエレメントで受信すること；及び
前記割当の受信に応じて、前記第2帯域幅の前記第2チャネルでデータを送信すること；
を行うように構成される1つ以上のアンテナ；並びに
1つ以上のプロセッサであって、STA及びレガシーSTAを含むベーシックサービスセット内のレガシーSTAが、前記第1チャネルでしか送信信号を受信できないことを確認し、及び、前記の確認に基づいて、リクエストトゥセンド(RTS)又はDMGクリアトゥセンド(CTS)トゥセルフフレームで第3帯域幅を表す値を送信することにより、前記第1帯域幅とは異なる第3帯域幅の第3チャネルでの割当を、共存技術を利用して要求するように構成され、前記共存技術は、要求が前記レガシーSTAによりデコードされることが可能であるように前記第1チャネルで当該要求を送信することを含む、1つ以上のプロセッサ；
を有するシステム。
【請求項１９】
前記第1チャネルはIEEE802.11ad標準規格群のうちの規格に従って規定され；
前記第2チャネルはIEEE802.11aj又は以後の標準規格群のうちの規格に従って規定され；
前記DMG  TSPECエレメントは、前記第1帯域幅のサイズに対する前記第2帯域幅のサイズと、前記第1チャネルの中心周波数に対する前記第2チャネルの中心周波数の位置とを規定し；
前記第2帯域幅は前記第1帯域幅の整数倍であり；及び
前記第2チャネルは前記第1チャネルの一部分を含む；
請求項18に記載のシステム。
【請求項２０】
前記1つ以上のアンテナが：
各々のBTI、アソシエーションビームフォーミングトレーニング(A-BFT)及びアナウンスメント送信インターバル(ATI)を、前記第1チャネルで受信するように更に構成され、前記BTIは、前記システムが、前記第1チャネルのみ又は前記第1チャネルのうちのチャネルで送信すべきか否かについての指示を含む、請求項18に記載のシステム。
【請求項２１】
請求項1ないし13のうち何れか1項に記載の方法を通信装置のコンピュータに実行させるコンピュータプログラム。
【請求項２２】
請求項21に記載のコンピュータプログラムを記憶する記憶媒体。
【発明の詳細な説明】
【背景技術】
【０００１】
（優先権）
本願は2013年9月10日付けで出願された米国仮特許出願番号第61/875,842による優先的利益を享受し、その内容全体がリファレンスに組み入れられる。
（技術分野）
【０００２】
実施の形態は無線通信に関連する。より具体的には、一実施形態はミリメートル波(mmW)通信及び帯域幅管理に関連する。
（背景技術）
【０００３】
現在のワイギグ(又はワイヤレスギガビットアライアンス)(Wireless  Gigabit  Alliance：WiGig)及び電気電子技術協会(Institute  of  Electrical  and  Electronics  Engineers：IEEE)802.11ad仕様は60GHzシステムを規定しており、60GHzシステムでは、全ての通信局が、送信及び受信の双方に同じ基本チャネル帯域幅を利用する。他のチャネライゼーションオプションを許容するように、WiGig及びIEEE802.11adを拡張する試みが現在進行中である。従って、現在のIEEE802.11adシステムとの両立性を維持しつつ、ミリメートル波システムにおける他のチャネライゼーションを利用する帯域幅構成を許容する検討中の課題が存在する。
【図面の簡単な説明】
【０００４】
【図１】一実施形態による無線ネットワークを示す。
【０００５】
【図２】一実施形態によるイントラベーシックサービスセットの動的な帯域幅管理のための方法のフローチャートである。
【０００６】
【図３Ａ】第１形態によるビーコンインターバルにおける割り当てを示す。
【０００７】
【図３Ｂ】第２形態によるビーコンインターバルにおける割り当てを示す。
【０００８】
【図４Ａ】第１形態による衝突許容アクセス期間における割当要求を示す。
【０００９】
【図４Ｂ】第２形態による衝突許容アクセス期間における割当要求を示す。
【００１０】
【図５】一実施形態によるオーバーラップする送信機会を示す。
【００１１】
【図６】一実施形態によるインターベーシックサービスセットの動的な帯域幅管理のための方法のフローチャートである。
【００１２】
【図７】一実施形態によるインターベーシックサービスセットの動的な帯域幅割当のためのメッセージング例を示す。
【００１３】
【図８】一実施形態による通信局の機能ブロック図である。
【発明を実施するための形態】
【００１４】
図1は一実施形態による無線ネットワーク100を示す。無線ネットワーク100は、ユーザの無線通信局(STA)110，115，120を含む。STA110，115，120は、例えば、ラップトップコンピュータ、スマートフォン、タブレットコンピュータ、プリンタ、スマートメータのようなマシンタイプデバイス、あるいは、ユーザインタフェースを有する又は有しない他の任意の無線デバイスであってよい。例えば、STA110，115，120は、STA125を介する無線ネットワーク130に対する無線接続を有する。無線ネットワーク130は、多数のネットワークの相互接続を表現してもよい。例えば、無線ネットワーク130は、インターネット又はイントラネット等のようなワイドエリアネットワークに結合してもよい。
【００１５】
STA125は、ワイヤレスアクセスポイント(AP)又はパーソナルベーシックサービスセット(PBSS)制御ポイント(PCP)のような比較的静的な通信ユニットであってもよく、以後、AP125として言及される。STA110，115，120は、AP125のレンジ内又はサービスエリア内に存在し得る。一形態において、STA110，115，120及びAP125は、IEEE802.11規格のような特定の通信規格に従う通信を送受信することが可能であるが、STA110，115，120及びAP125は他の技術に従う通信を送受信することにも適していてよい。
【００１６】
様々な形態において、無線ネットワーク130は、ワイギグ(WiGig)標準仕様バージョン1.0に従って、IEEE802.11adに従って、或いは、それらに対する任意の先行するもの、改訂版又は異形に従って実現されてもよい(それらは、まとめて「WiGig/802.11ad規格」のように言及される)。しかしながら、実施形態はWiGig/802.11adネットワークに限定されない。
【００１７】
様々な形態において、STA110，115，120は、WiGig/802.11ad規格に従って無線ネットワーク130を介して通信するように動作する指向性マルチギガビット通信局(directional  multi-gigabit  (DMG)  stations  (STAs))を含んでもよい。図1は3つのSTA110，115，120を示しているが、実施形態はこれに限定されない。実施形態は、互いに部分的に又は完全にオーバーラップする追加的なサービスエリア140を伴う多くのAP125を含むことも可能である。
【００１８】
現在のシステムは、図1の無線ネットワーク130のような無線ネットワークの通信チャネルに対して標準の帯域幅(CH_BW)を規定しており、STA110，115，120はCH_BWに従って通信する。例えば、ある現在のシステムは、2160MHzに等しい値の固定チャネル帯域幅を規定するWiGig/802.11adネットワークを含み、ビーコンインターバルのデータ転送インターバル(data  transfer  intervals：DTI)の中で通信するSTA110，115，120は、その固定通信帯域幅に従って通信する。
【００１９】
様々な実施形態は、そのようなシステムのCH_BWとは異なるチャネル帯域幅の利用法を提供する。例えば、一実施形態は、複数の標準サイズのチャネルを1つの大きなチャネルに結合するチャネルボンディングを実行することにより、より高い潜在的な電力消費を費やして、増進したスループットを提供することができる。逆に、様々な実施形態は、標準サイズのチャネルを更に小さなチャネルに分割するチャネルスプリッティングを実行することにより、通信チャネルの帯域幅を制限するローカルな規制条件に従うために使用される或いは電力消費を制限することが可能である。
【００２０】
様々な実施形態は、従って、動的な帯域幅管理(dynamic  bandwidth  management  (DBWM)の選択や可変チャネル帯域幅通信の構築を可能にする方法及び装置を提供する。これらの方法及び装置は、IEEE802.11aj規格又はその将来的なバージョンに従う或いはIEEE802.11ad規格又はそのバージョンの将来的なバージョンに従うネットワークで動作することが可能であり、実施形態はその例に限定されないが、現在のIEEE802.11adシステム及びネットワークとの後方互換性を保つ。
【００２１】
実施形態では、ビーコン送信インターバル(beacon  transmission  interval：BTI)の間の制御信号送信、アソシエーションビームフォーミングトレーニング(association  beamforming  training：A-BFT)、及び、アナウンスメント送信インターバル(announcement  transmission  interval：ATI)が、IEEE802.11adで規定された基本チャネル帯域幅を用いて行われ、既存のSTAと可変チャネル帯域幅をサポートするSTAとの間の相互運用性をサポートする。
【００２２】
イントラBSS-DBWM
一実施形態は、ベーシックサービスセット(BSS)の中でDBWMを提供する。当業者に理解されるように、BSSは、PCP又はAP125(図1)を含み、これはSTA110，115及び120に関連付けられる。
【００２３】
図2は一実施形態によるイントラBSSのDBWMのための方法200のフローチャートである。方法200は、例えば標準の帯域幅CH_BWのような第1帯域幅を利用して第1チャネルでBSSの中で動作する例えばSTA110(図1)により実行されることが可能である。
【００２４】
動作210において、STA110は、第1帯域幅CH_BWとは異なる第2帯域幅の第2チャネルでデータを通信するための割当要求を送信する。STA110は、その要求をBSSのサービングAP又はPCPに送信してもよい。STA110は、第1帯域幅の第1チャネルを利用して、その要求を送信してもよい。第1チャネルはIEEE802.11ad標準規格群に属する規格に従って規定されることが可能であり、第2チャネルはIEEE802.11aj又は将来的な標準規格群に属する規格に従って規定されることが可能である。要求(又はリクエスト)は、第2帯域幅を表す値を有する指向性マルチギガビット(DMG)トラフィック仕様(TSPEC)エレメント(a  directional  multi-gigabit  (DMG)  traffic  specification  (TSPEC)  element)を含むことが可能である。DMG  TSPECエレメントは、第1帯域幅のサイズに対する第2帯域幅のサイズを決定することができる。第2チャネルは、第1チャネルの上半分又は第1チャネルの下半分を含むことが可能であり、或いは、第2チャネルは第1チャネルの整数倍とすることも可能であるが、実施形態はこれらに限定されない。例えば、要求(リクエスト)は、以下の表1(テーブル1)に示されるものに類似するフィールドを含むことが可能である。
【表１】
2016533135.tif 000003
テーブル1：帯域幅の再割当のためのDMG  TSPECエレメントの具体例
【００２５】
別の形態では、送信される制御又は管理フレームにおけるチャネル帯域幅が、チャネル番号を用いて体系化されることが可能である。例えば、上記のテーブル1における各値1ないし7が、個々の固有のチャネル番号に関連付けられることが可能である。従って、チャネル番号を示す新たなフィールドが、DMG  TSPECエレメント、制御フレーム又はマネジメントの一部として規定されることが可能である。そのフィールドは帯域幅を通知し、その帯域幅により、今後のデータ通信が行われることになる。
【００２６】
図3A及び3Bは、実施形態によるビーコンインターバルにおける割り当てを示す。図3Aに示されるように、動作210(図2)に関連して説明したようなDMG  TSPECに基づく割当の結果として、ビーコンインターバルは、例えばCBAP3のような全体的なBW割当、及び、例えばCBAP1のような半分のBW割当の双方を含み得る。しかしながら、実施形態はこの例に限定されず、実施形態は、図3Bに示されるように、全体的なBWのCBAP1及び二重のBWのCBAP3の割当が包含されるように、チャネルボンディングを含むことが可能である。
【００２７】
再び図2に関し、動作220において、STA110は拡張スケジュールエレメント(Extended  Schedule  element)で第2帯域幅の割当を受信する。STA110は、BSSのサービングAP又はPCPからこの割当を受信するかもしれない。
【００２８】
動作230において、STA110は、割当を受けたことに応答して第2帯域幅の第2チャネルでデータを送信する。STA110はBSSの中の他のSTAにデータを送信し、例えば他のSTAは、IEEE802.11aj又はそれ以降をサポートし、第2帯域幅で監視(又はリスニング)している。STA110は、第2チャネルで制御情報を受信することができない従来のデバイスとの後方互換性を少なくとも維持するために、第1チャネルのBTIで制御情報を受信する。例えば、STA110は、各々のBTI、アソシエーションビームフォーミングトレーニング(A-BFT)、及び、アナウンスメント送信インターバル(ATI)を、割当の後に受信するように、後方互換性のために第1チャネルで受信してもよい。
【００２９】
インターBSSの実施形態に関連して以下において更に詳細に説明されるように、BTIは、後続のデータ転送インターバル(DTI)の間の通信に関してSTA110が専ら第1チャネルを使用すべきか否かに関する情報を含んでもよい。インターBSSの実施形態に関連して以下において更に詳細に説明されるように、STA110は、隣接するBSSに関するPCP又はAPから、第1チャネルで追加的な制御情報を受信してもよい。STA110は、追加的な制御情報に基づいて、ある時間期間の間に送信することを控えてもよい。
【００３０】
図4A及び4Bは、実施形態による衝突許容アクセス期間(contention-based  access  period：CBAP)における割当要求を示す。実施形態において、STA110が上述したようなDMG  TSPECを利用して割当を要求したか否かによらず、STA110は、CH_BW以外のチャネル帯域幅の割当を要求するために、リクエストトゥセンド(request  to  send：RTS)又はDMGクリアトゥセンドトゥセルフ(DMG  clear  to  send  (CTS)-to-self)を利用することができる。これら又は他の実施形態において、STA110は、BSSの中の例えばSTA115のような従来のSTA(レガシーSTA)が、第1チャネルで送信信号を受信できるが、STA110が割当を要求した第2チャネルでは受信できないことを判断することができる。そして、STA110は、第3帯域幅を表す値をリクエストRTS又はDMG  CTS-to-selfフレームで送信することにより、第1帯域幅とは異なる第3帯域幅の第3チャネルで別の割当を、共存技術(coexistence  technique)を利用しながら要求することができる。
【００３１】
共存技術は、要求(リクエスト)がレガシーSTA115によってデコードできるように、例えばCH_BWの第1チャネルで要求(リクエスト)を送信することを含むことが可能である。例えば、図4Aに示されるように、CBAPの中でDBWMを可能にするために、STA110は、IEEE802.11adで規定されるチャネル幅を利用して、チャネルBW情報を通知するためにDMG  CTS-to-selfフレームを送信し、より狭いチャネルBWでの送信機会(TXOP)を取得することができる。しかしながら、実施形態はその例に限定されず、図4Bに示されるように、STA110は、IEEE802.11adで規定されるチャネル幅を利用して、チャネルBW情報を通知するためにDMG  CTS-to-selfフレームを送信し、より広いチャネルBWでの送信機会(TXOP)を取得することができる。
【００３２】
図4Aの形態で言及されるように、様々な実施形態は、割り当てられたCBAPと同じチャネルでTXOPを設定するためにDMG  CTS-to-selfフレームを送信する。このように、実施形態は、レガシーSTAを含む近隣のSTAが、再割当リクエストをデコード又は理解することを許容する。しかしながら実施形態はその例に限定されない。例えば、実施形態はスペクトル効率を改善することが可能であり、例えば、同じ全BWチャネルで動作するSTA110及び115のような複数のSTAが、現在のTXOPでオーバーラップしているが異なるチャネルにあるデータを送受信することを許容する。
【００３３】
図5は、一実施形態によるそのようなオーバーラップするTXOPを示す。図5に示されるように、例えばSTA110のようなSTAは、より狭いチャネルBWの中でDMG  CTS-to-selfフレームを送信することができる。これは、1つより多い別個のSTA対による同一TXOP空間の再利用を許容し、複数の同時送信が同じ時間期間で行われる場合に、ネットワークの全体的なスループットを増進する結果となる。
【００３４】
インターBSS  DBWM
実施形態は、同じCH_BWを共有する複数の近隣のBSSにおけるDBWMを提供し、BSSが、より小さなチャネルBWへの切り替わりを動的に調和させることを許容する。実施形態は、インターBSS  DBWMを提供するために、IEEE802.11ad標準規格群に属する規格で規定されるPCP/APクラスタリングメカニズムを拡張又は改善する。例えば、実施形態は、BTI、A-BFT及びATIをIEEE802.11adチャネルで送信することにより、PCP/APクラスタリングメカニズムを改善してもよい。DTIの割当は、各々のPCP/APにより独立に管理されるが、常に、S-PCP/S-APに同期している。割当は、異なるチャネルBWでなされることが可能である。
【００３５】
図6は、実施形態によるインターBSS  DBWMのための方法600のフローチャートである。方法600は、例えばSTA110(図1)又はAP125(図1)により、又は、他の任意の固定された又は固定されてないSTA又はPCPにより実行されることが可能である。
【００３６】
動作610において、AP125は例えば第1-BTI及び第1チャネルで第1-BSSの制御情報を送信する。第1-BTIは、第1-BSS内のSTA110，115及び120が専ら第1チャネルを利用して又は第1チャネル内の異なるチャネルを利用して通信すべきであるか否かについての指示(インディケーション)を含むことが可能である。
【００３７】
動作620において、AP125は、制御情報の送信に応じて、第1-BSS内のSTAから、第1チャネルとは異なる第2チャネルでの送信のための割当を要求するDMG  TSPECエレメントを受信する。DMG  TSPECエレメントは、図2に関連して説明したものと同様であってよい。
【００３８】
動作630において、AP125は、割当要求を受けたことに応答して、割当要求を許可する拡張スケジュールエレメントを送信する。
【００３９】
動作640において、AP125は、複数のBSSのうちの第2-BSSに関する制御情報を第2-BTIで受信する。AP125は、制御情報の送信から或るクラスタ時間オフセットに実質的に等しい時間期間の後に、別のPCP又はAPから第1チャネルでその制御情報を受信することが可能である。動作650において、APは第2チャネルにおいてデータ転送インターバル(DTI)の中でSTAからトラフィックを受信する。上述したように、少なくともレガシーデバイスとの後方互換性のために、AP125は、BTI、アソシエーションビームフォーミングトレーニング(A-BFT)又はアナウンスメント送信インターバル(ATI)を第1チャネルで送信することを抑制し、そうではなくそれらのメッセージを第1チャネルで送信し、レガシーデバイスがメッセージをデコードできるようにする。
【００４０】
図7は、実施形態によるインターBSS  DBWMのためのメッセージング例を示す。図示の例では、DBWMは、PCP/AP1，PCP/AP2及びPCP/AP3により応対(サービング)される3つのオーバーラップするBSSに関して実行される。各々のBSSは、自身のBTI，A-BFT及びATIを有し、これらは、BSSのうちの各STAがビーコンインターバルのそのような制御期間に参加することを許容することにより、少なくとも後方互換性を維持するために、IEEE802.11adチャネルCH_BWで送信される。各々のDTIにおいて、割当は、様々なチャネルBWをカバーすることが可能である。従って、実施形態において、複数のBSSは、同じCH_BW全体を共有し、DTIの実際のデータ通信の間に、より狭いチャネルBWを利用することができる。
【００４１】
図8は、実施形態によるSTA800の機能ブロック図である。STA800は、STA110，115又は120(図1)或いはAP125に適していてもよい。STA800は、無線通信システムで動作する実施形態による方法をサポート(又は私用)することが可能である。STA800はプロセッサ802を含み、プロセッサ802は、オンチップ状態メモリ806だけでなく通信インターフェース808にもアクセスするチップセット804を利用する。一形態において、メモリ806は、ランダムアクセスメモリ(RAM)、ダイナミックRAM(DRAM)、スタティックRAM(SRAM)、同期DRAM(SDRAM)、ダブルデータレート(DDR)SDRAM(DDR-SDRAM)、或いは、データの高速バッファリングをサポートすることが可能な任意のデバイスを含んでよいが、これらに限定されない。
【００４２】
少なくとも一形態において、通信インターフェース808は、例えば無線物理レイヤ(PHY)であり、PHYは複数入力/複数出力(MIMO)方式に従って動作する。通信インターフェース808は、第1帯域幅とは異なる第2帯域幅の第2チャネルでデータを通信するための割当要求を第1チャネルで送信することが可能である。要求(リクエスト)は、第2帯域幅を表す値を有する指向性マルチギガビット(DMG)トラフィック仕様(TSPEC)エレメントを含むことが可能である。第1帯域幅はIEEE802.11ad標準規格群のうちの規格に従って規定され、第2帯域幅はIEEE802.11aj又はそれ以降の標準規格群のうちの規格に従って規定されてもよい。DMG  TSPECエレメントは、第1帯域幅のサイズに対する第2帯域幅のサイズを規定してもよく、或いは、その代わりに一意の個々のチャネル番号を利用してもよい。通信インターフェース808は、要求に応じて、拡張スケジュールエレメントで割当を受信し、以後、第2帯域幅を利用して第2チャネルでデータを送信することが可能である。
【００４３】
チップセット804は、例えば、図2に関して上述されたような後方互換性を実現する共存論理部(coexistence  Logic)812を組み込むことが可能である。一形態において、チップセット804はMACレイヤの機能を提供する。
【００４４】
実施形態は、ハードウェア、ファームウェア及びソフトウェアのうちの1つ又はそれらの組み合わせで実現されてもよい。実施形態は、非一時的なコンピュータ読み取り可能な記憶装置に保存される命令814として実現されてもよく、命令は、少なくともプロセッサ802により読み込まれて実行され、本願で説明される動作を実行する。
【００４５】
プロセッサ802は、BSSにおけるレガシーSTAが、第1チャネルでは送信信号を受信可能であるが第2チャネルでは可能でないことを確認することができる。この確認に基づいて、例えば、プロセッサ802は、RTS又はDMG  CTS-to-selfフレームで第3帯域幅を表す値を送信することにより、第1帯域幅とは異なる第3帯域幅の第3チャネルにおける割当を、共存技術を利用して要求することが可能である。共存技術は、要求がレガシーSTAによりデコードされることが可能であるように、第1チャネルで要求(リクエスト)を送信することを含むことが可能である。
【００４６】
実施形態において、通信インターフェース808は、上述したような少なくとも後方互換性の理由により、各々のBTI、アソシエーションビームフォーミングトレーニング(A-BFT)及びアナウンスメント送信インターバル(ATI)を第1チャネルで受信することが可能である。BTIは、以後のデータ転送期間(DTI)内の送信に関し、専ら第1チャネルを利用すべきか或いは第1チャネル内のチャネルを利用すべきか否かについての指示を含むことが可能である。通信インターフェース808は、第1チャネルとは異なる第3チャネルにおいて、BSS内の第2の非レガシーSTAの少なくとも1つのDTIを受信することが可能である。
【００４７】
STA800は、図7-8に関して上述したPCP/APの機能を実行することも可能である。
【００４８】
一実施形態では、プロセッサ802及びメモリ806がコンピュータ読み取り可能な記憶媒体として動作するように、メモリ814はプロセッサ802又はメモリ806に保存される。コンピュータ読み取り可能なストレージデバイスは、マシン(例えば、コンピュータ)により読み込むことが可能な形式で情報を保存する任意の非一時的なメカニズムを含んでよい。例えば、コンピュータ読み取り可能なストレージデバイスは、ROM、RAM、磁気ディスク記憶媒体、光記憶媒体、フラッシュメモリデバイス、及び、その他のストレージデバイス及び媒体を含んでよい。
【００４９】
命令814は、STA800で実行される場合に、第1ビーコン時間インターバル(BTI)及び第1チャネルにおいて、複数の近隣BSSのうちの第1-BSSに関する制御情報を送信することを、STA800に行わせる。BTIは、第1-BSSのうちのSTAが専ら第1チャネルで通信すべきか否かについての指示を含むことが可能である。命令は、制御情報の送信に応じて、第1チャネルとは異なる第2チャネルで送信するための割当要求を、第1-BSSのうちのユーザ通信局(STA)から受信することを、STA800に行わせることが可能である。命令は、割当要求を受けたことに応じて、割当要求を許可するための拡張スケジュールエレメントを送信することを、STA800に行わせることが可能である。命令は、制御情報の送信から或るクラスタ時間オフセットに実質的に等しい時間期間の後に、第2-BTIにおける複数のBSSのうちの第2-BSSに関する制御情報を、別のPCP又はAPから第1チャネルで受信することを、STA800に行わせることが可能である。STA800は、第2チャネルにおいて、データ転送インターバル(DTI)のうちの第1-BSSに関するトラフィックを受信することが可能である。
【００５０】
STA800は複数の別々の機能要素を有するように描かれているが、1つ以上の機能要素が統合されてもよいし、ディジタル信号プロセッサ(DSP)及び/又は他のハードウェア要素などのようなソフトウェア構築可能要素(ソフトウェアで構成することが可能な要素)の組み合わせにより、実現されてもよい。例えば、幾つかの要素は、1つ以上の、マイクロプロセッサ、DSP、特定用途向け集積回路(ASIC)、無線周波数集積回路(RFIC)等を含んでもよいし、少なくとも本願で説明される機能を実行する様々なハードウェア及び論理回路の組み合わせを含んでもよい。一実施形態において、STA800の機能要素は、1つ以上の処理要素で動作する1つ以上のプロセッサを指してもよい。
【００５１】
STA800は、複数の送受信アンテナ810-1ないし810-Nを含んでもよく、ここで、Nは自然数である。アンテナ810-1ないし810-Nは、1つ以上の指向性又は無指向性アンテナを含んでもよく、例えば、ダイポールアンテナ、モノポールアンテナ、パッチアンテナ、ループアンテナ、マイクロストリップアンテナ、又は、RF信号の送信に相応しい他のタイプのアンテナを含んでもよい。一実施形態では、2つ以上のアンテナの代わりに、複数の開口を有する単独のアンテナが使用されてもよい。これらの実施形態では、各々の開口が、個々のアンテナと考えられてよい。MIMOの実施形態では、アンテナ810-1ないし810-Nは、各アンテナ810-1ないし810-Nの間で生じる様々なチャネル特性及び空間ダイバーシチの恩恵を得るために、有効に離間される。MIMOの一実施形態では、アンテナ810-1ないし810-Nは、1波長の1/10又はそれ以上に及び得る程度の距離だけ隔てられていてもよい。
【００５２】
要約書は、技術的開示内容の特質及び要旨を読者が把握できることを要約書に要求する37C.F.R.セクション1.72(b)に従って用意されている。要約書は特許請求の範囲又は意味を限定又は解釈するためには使用されないという理解とともに提出されている。特許請求の範囲は発明の詳細な説明で支持されており、各請求項は個々の実施形態に関連してもよい。
付記及び具体例
【００５３】
具体例1が含む対象事項(例えば、方法、処理を実行する手段、命令を有するマシン読み取り可能な媒体であって、命令は、マシンにより実行される場合に、マシンに処理を実行させる媒体、或いは、実行するように構成される装置)は、第1帯域幅の第1チャネルを利用して、前記第1帯域幅とは異なる第2帯域幅の第2チャネルでデータを通信するための割当の要求を送信するステップであって、前記要求は、前記第2帯域幅を表す値を有する指向性マルチギガビット(DMG)トラフィック仕様(TSPEC)エレメントを含む、ステップ；前記第2帯域幅の割当を拡張スケジュールエレメントで受信するステップ；及び、前記割当の受信に応じて、前記第2帯域幅の前記第2チャネルでデータを送信するステップ；を有する。
【００５４】
具体例2は、具体例1の対象事項を含む又はそれらと選択的に組み合わせられ、前記BSS内のレガシーSTAが、前記第1チャネルでは送信信号を受信可能であるが前記第2チャネルでは可能でないことを確認するステップ；及び、リクエストトゥセンド(RTS)又はDMGクリアトゥセンド(CTS)トゥセルフフレームで第3帯域幅を表す値を送信することにより、前記第1帯域幅とは異なる第3帯域幅の第3チャネルでの別の割当を、共存技術を利用して要求するステップであって、前記共存技術は、要求が前記レガシーSTAによりデコードされることが可能であるように前記第1チャネルで当該要求を送信することを含む、ステップ；を更に有する。
【００５５】
具体例3は、具体例1及び/又は2の対象事項を含む又はそれらと選択的に組み合わせられ、前記第2帯域幅の割当の通知を受信した後に、前記第1チャネルにおいてビーコン送信インターバル(BTI)で制御情報を受信するステップ；を更に有する。
【００５６】
具体例4は、具体例1-3のうち何れかの対象事項を含む又はそれらと選択的に組み合わせられ、前記割当の後に受信される各々のBTI、アソシエーションビームフォーミングトレーニング(A-BFT)及びアナウンスメント送信インターバル(ATI)が、前記第1チャネルで受信される側面を選択的に有する。
【００５７】
具体例5は、具体例1-4のうち何れかの対象事項を含む又はそれらと選択的に組み合わせられ、前記BTIは、以後のデータ転送インターバル(DTI)の間の通信に関し、前記STAが、専ら前記第1チャネルを使用すべきか否かについての指示を含む側面を選択的に有する。
【００５８】
具体例6は、具体例1-5のうち何れかの対象事項を含む又はそれらと選択的に組み合わせられ、近隣のBSSに関連するパーソナルベーシックサービスセット制御ポイント(PCP)又はアクセスポイント(AP)から、前記第1チャネルで追加的な制御情報を受信するステップ；及び、前記追加的な制御情報に基づいて、或る時間期間の間送信することを控えるステップ；を更に有する。
【００５９】
具体例7は、具体例1-6のうち何れかの対象事項を含む又はそれらと選択的に組み合わせられ、前記第1チャネルはIEEE802.11ad標準規格群のうちの規格に従って規定され、前記第2チャネルはIEEE802.11aj又は以後の標準規格群のうちの規格に従って規定され、前記DMG  TSPECエレメントは、前記第1帯域幅のサイズに対する前記第2帯域幅のサイズを規定し、異なる各々のチャネル帯域幅に関連する一意の個別的なチャネル番号を持たせることを含む異なる方法により実行されることが可能である側面を選択的に有する。
【００６０】
具体例8は、具体例1-7のうち何れかの対象事項を含む又はそれらと選択的に組み合わせられ、前記第2チャネルは前記第1チャネルの上半分又は前記第1チャネルの下半分を含む側面を選択的に有する。
【００６１】
具体例9は、具体例1-6のうち何れかの対象事項を含む又はそれらと選択的に組み合わせられ、前記第2帯域幅は前記第1帯域幅の整数倍である側面を選択的に有する。
【００６２】
具体例1が含む対象事項(例えば、方法、処理を実行する手段、命令を有するマシン読み取り可能な媒体であって、命令は、マシンにより実行される場合に、マシンに処理を実行させる媒体、或いは、実行するように構成される装置)は、第1帯域幅の第1チャネルを利用して、前記第1帯域幅とは異なる第2帯域幅の第2チャネルでデータを通信するための割当の要求を送信するステップであって、前記要求は、前記第2帯域幅を表す値を有する指向性マルチギガビット(DMG)トラフィック仕様(TSPEC)エレメントを含む、ステップ；前記第2帯域幅の割当を拡張スケジュールエレメントで受信するステップ；及び、前記割当の受信に応じて、前記第2帯域幅の前記第2チャネルでデータを送信するステップ；を有する。
【００６３】
具体例2は、具体例1の対象事項を含む又はそれらと選択的に組み合わせられ、前記BSS内のレガシーSTAが、前記第1チャネルでは送信信号を受信可能であるが前記第2チャネルでは可能でないことを確認するステップ；及び、リクエストトゥセンド(RTS)又はDMGクリアトゥセンド(CTS)トゥセルフフレームで第3帯域幅を表す値を送信することにより、前記第1帯域幅とは異なる第3帯域幅の第3チャネルでの別の割当を、共存技術を利用して要求するステップであって、前記共存技術は、要求が前記レガシーSTAによりデコードされることが可能であるように前記第1チャネルで当該要求を送信することを含む、ステップ；を更に有する。
【００６４】
具体例3は、具体例1及び/又は2の対象事項を含む又はそれらと選択的に組み合わせられ、前記第2帯域幅の割当の通知を受信した後に、前記第1チャネルにおいてビーコン送信インターバル(BTI)で制御情報を受信するステップ；を更に有する。
【００６５】
具体例4は、具体例1-3のうち何れかの対象事項を含む又はそれらと選択的に組み合わせられ、前記割当の後に受信される各々のBTI、アソシエーションビームフォーミングトレーニング(A-BFT)及びアナウンスメント送信インターバル(ATI)が、前記第1チャネルで受信される側面を選択的に有する。
【００６６】
具体例5は、具体例1-4のうち何れかの対象事項を含む又はそれらと選択的に組み合わせられ、前記BTIは、以後のデータ転送インターバル(DTI)の間の通信に関し、前記STAが、専ら前記第1チャネルを使用すべきか否かについての指示を含む側面を選択的に有する。
【００６７】
具体例6は、具体例1-5のうち何れかの対象事項を含む又はそれらと選択的に組み合わせられ、近隣のBSSに関連するパーソナルベーシックサービスセット制御ポイント(PCP)又はアクセスポイント(AP)から、前記第1チャネルで追加的な制御情報を受信するステップ；及び、前記追加的な制御情報に基づいて、或る時間期間の間送信することを控えるステップ；を更に有する。
【００６８】
具体例7は、具体例1-6のうち何れかの対象事項を含む又はそれらと選択的に組み合わせられ、前記第1チャネルはIEEE802.11ad標準規格群のうちの規格に従って規定され、前記第2チャネルはIEEE802.11aj又は以後の標準規格群のうちの規格に従って規定され、前記DMG  TSPECエレメントは、前記第1帯域幅のサイズに対する前記第2帯域幅のサイズを規定する側面を選択的に有する。
【００６９】
具体例8は、具体例1-7のうち何れかの対象事項を含む又はそれらと選択的に組み合わせられ、前記第2チャネルは前記第1チャネルの上半分又は前記第1チャネルの下半分を含む側面を選択的に有する。
【００７０】
具体例9は、具体例1-8のうち何れかの対象事項を含む又はそれらと選択的に組み合わせられ、前記第2帯域幅は前記第1帯域幅の整数倍である側面を選択的に有する。
【００７１】
具体例10が含む対象事項(例えば、処理を実行する方法又は手段)は、
第1のビーコン時間インターバル(BTI)及び第1チャネルにおいて、前記第1のBSSに関する制御情報を送信するステップ；前記制御情報を送信することに応じて、前記第1チャネルとは異なる第2チャネルでの送信のための割当を要求する指向性マルチギガビット(DMG)トラフィック仕様(TSPEC)エレメントを、前記第1のBSSのうちのユーザ通信局(STA)から受信するステップ；前記割当の要求を受信したことに応じて、前記割当の要求を許可する拡張スケジュールエレメントを送信するステップ；前記制御情報の送信から或るクラスタ時間オフセットに実質的に等しい時間期間の後に、第2のBTIにおける複数のBSSのうちの第2のBSSに関する制御情報を、前記第1チャネルで別のPCP又はAPから受信するステップ；及び、前記第2チャネルにおいてデータ転送インターバル(DTI)で前記STAからトラフィックを受信するステップ；を含む。
【００７２】
具体例11では、具体例10の対象事項が、前記第1のBTIは、前記第1のBSSにおけるSTAが前記第1チャネルのみを利用して通信するか否かについての指示を含む側面を選択的に含むことが可能である。
【００７３】
具体例12では、具体例10-11の対象事項が、前記第2チャネルにおいて、BTI、アソシエーションビームフォーミングトレーニング(A-BFI)又はアナウンスメント送信インターバル(ATI)を送信することを禁止するステップを選択的に含むことが可能である。
【００７４】
具体例13が含む対象事項(例えば、装置、モバイル装置、ネットワークデバイス、通信装置又はデバイス、ハードウェア、コンポーネント、或いは、素子)は、物理レイヤ(PHY)回路を有し、前記PHY回路は：第1チャネルを利用して、第1帯域幅とは異なる第2帯域幅の第2チャネルでデータを通信するための割当の要求を送信することであって、前記要求は、前記第2帯域幅を表す値を有する指向性マルチギガビット(DMG)トラフィック仕様(TSPEC)エレメントを含み、前記第1チャネルはIEEE802.11ad標準規格群のうちの規格に従って規定され、前記第2チャネルはIEEE802.11aj又は以後の標準規格群のうちの規格に従って規定され、及び、前記DMG  TSPECエレメントは、前記第1帯域幅のサイズに対する前記第2帯域幅のサイズを規定する、こと；前記要求に応じて、拡張スケジュールエレメントで割当を受信すること；並びに、前記割当の受信に応じて、前記第2帯域幅を利用して前記第2チャネルでデータを送信すること；を行う。
【００７５】
具体例14が含む対象事項(例えば、装置、モバイル装置、ネットワークデバイス、通信装置又はデバイス、ハードウェア、コンポーネント、或いは、素子)は、具体例13に加えて選択的であってもよく、プロセッサを選択的に含み、プロセッサは、前記BSS内のレガシーSTAが、前記第1チャネルでは送信信号を受信可能であるが前記第2チャネルでは可能でないことを確認し、前記の確認に応じて、リクエストトゥセンド(RTS)又はDMGクリアトゥセンド(CTS)トゥセルフフレームで第3帯域幅を表す値を送信することにより、前記第1帯域幅とは異なる第3帯域幅の第3チャネルでの別の割当を、共存技術を利用して要求し、前記共存技術は、要求が前記レガシーSTAによりデコードされることが可能であるように前記第1チャネルで当該要求を送信することを含む。
【００７６】
具体例15が含む対象事項(例えば、装置、モバイル装置、ネットワークデバイス、通信装置又はデバイス、ハードウェア、コンポーネント、或いは、素子)は、具体例13-14に加えて選択的であってもよく、前記PHY回路が、各々のBTI、アソシエーションビームフォーミングトレーニング(A-BFT)及びアナウンスメント送信インターバル(ATI)を前記第1チャネルで受信することであって、前記BTIは、以後のデータ転送インターバル(DTI)の間の通信に関し、前記STAが、専ら前記第1チャネルを使用すべきか否かについての指示を含む、こと；及び、前記第1チャネルとは異なる第3チャネルで、前記BSSの第2の非レガシーSTAの少なくとも1つのDTIを受信すること；を行うように更に構成される側面を選択的に含む。
【図１】
2016533135.tif 000004
【図２】
2016533135.tif 000005
【図３Ａ】
2016533135.tif 000006
【図３Ｂ】
2016533135.tif 000007
【図４Ａ】
2016533135.tif 000008
【図４Ｂ】
2016533135.tif 000009
【図５】
2016533135.tif 000010
【図６】
2016533135.tif 000011
【図７】
2016533135.tif 000012
【図８】
2016533135.tif 000013
【国際調査報告】
2016533135.tif 000014
2016533135.tif 000015
2016533135.tif 000016